(57)【特許請求の範囲】
【請求項１】
光ケーブルの心線接続部１と、該心線接続部１から延びる心線余長を収納する心線余長収納部２とを備えたケース本体３に蓋ケース４を開閉自在に設け、該ケース本体３内に導入されて前記心線接続部１に至る光ケーブルを保持するケーブル把持具５及びフロアケーブル把持具６を具備したキャビネットにおいて、前記ケース本体３に保留心線接続部の保持部７と、保留心線余長を引き回し保持する円筒状のガイドリブ８を一対隔離して設けた保留心線余長収納部９と心線を導出入する心線導出入部１４，１５とを備えた保留心線収納トレイ１０を連結凹部１１で支軸に着脱自在で、かつ旋回自在に設けると共に、該保留心線収納トレイ１０に前記連結凹部１１の近くに設けた心線導出入部１５の近傍位置で分割された分離線１９のある蓋体１２をヒンジ部１８で開閉自在に連設したことを特徴とする光ケーブル接続部収納用キャビネットにおける保留心線収納トレイ。
【請求項２】
前記保留心線収納トレイ１０が、底板に周側壁のあるケースであって、周側壁上縁およびガイドリブ上縁で保留心線余長収納部内に突出する心線押え片１３，１３１  を複数備えている請求項１記載の保留心線収納トレイ。
【請求項３】
前記保留心線収納トレイ１０が、外周側壁に蓋体係止凹部１６と取手１７とを備えている請求項１または２記載の保留心線収納トレイ。
【請求項４】
前記蓋体１２が、閉蓋用の係止片２０，２１と突杆２２とを突設した請求項３記載の保留心線収納トレイ。
【発明の詳細な説明】
【０００１】
【発明の属する技術分野】
本発明は、光ファイバ心線とテンションメンバとを有する光ケーブルの接続や分岐配線に用いる光ケーブル接続箱、詳しくは、ケース本体にテンションメンバを含む光ケーブルなどの各光ファイバケーブルを接続、分岐して止着状態に保持するようにした光ケーブル接続部収納用キャビネットに用いられる保留心線収納トレイに関する。
【０００２】
【従来の技術】
一般に、光ファイバ心線とテンションメンバを有する光ケーブルの接続に際しては、テンションメンバを止着することが不可欠であり、光ファイバの分岐・引込接続には接続作業の失敗を見越して心線に余裕を持たせた余長処理も不可欠であって、これら接続部を含む心線の保護を必要とされている。このため従来では、心線接続後に接続部や心線余長を収納する収納トレイが多数枚使用され、かつケーブルを分岐してフロアケーブルとして各個所にドロップアウトする際に、キャビネット内で保留心線を収納整理したり、或いは局からの検査信号処理するＵリンクケーブルを整理するそれぞれの収納シートが用いられている。
【０００３】
【発明が解決しようとする課題】
しかしながら、従来の光ケーブル接続箱にあっては、特別なケースやカバー並びにシートを用いる心線接続処理部材が必要で組立部品も多く、カバー保持や任意の心線のハンドリングもやっかいであって、心線接続の安全性や、作業性の上でも問題であり、余長心線並びに保留心線の取扱並びに各心線の整理構造が複雑化してコスト高となるほか、内部空間が小さいことから心線余長が収納しにくくケーブル接続の作業性が低いという問題があった。
本発明は、これら従来の諸欠点を排除しようとするもので、ケース本体内での心線取扱操作や心線接続の交換並びに増設が簡単にでき、余長心線や保留心線の取り扱い容易であり、安全な接続処理作業が行えて、作業性を大巾に向上すると共に、各心線の収納を兼用できて余分な収納部材を不要とし、低コストの光ケーブル接続部収納用キャビネットにおける保留心線収納トレイを提供することを目的としたものである。
【０００４】
【課題を解決するための手段】
本発明は、光ケーブルの心線接続部１と、該心線接続部１から延びる心線余長を収納する心線余長収納部２とを備えたケース本体３に蓋ケース４を開閉自在に設け、該ケース本体３内に導入されて前記心線接続部に至る光ケーブルを保持するケーブル把持具５及びフロアケーブル把持具６を具備したキャビネットにおいて、前記ケース本体３に保留心線接続部の保持部７と、保留心線余長を引き回し保持する円筒状のガイドリブ８を一対隔離して設けた保留心線余長収納部９と、心線を導出入する心線導出入部１４，１５とを備えた保留心線収納トレイ１０を連結凹部１１で支軸に着脱自在で、かつ旋回自在に設けると共に、該保留心線収納トレイ１０に前記連結凹部１１の近くに設けた心線導出入部１５の近傍位置で分割された分離線１９のある蓋体１２をヒンジ部１８で開閉自在に連設したものである。
【０００５】
【発明の実施の形態】
本発明の実施の形態の光ケーブル接続部収納用キャビネットは、ケース本体のケーブル把持金具にケーブルを把持してケーブルのテンションメンバを止着し、引き出された心線は内配線材料に接続し、分岐配線される心線は心線係止部を経てケース本体内に配索される。キャビネット内では、心線接続部が収納され、しかも、ケース本体外に水平状態に展開され保留心線収納トレイ、或いは余長収納トレイを支軸を中心として回動させて内部を露呈し、保留心線或いはＵリンクケーブルなどの接続作業並びに点検修理作業が容易にでき、心線旋回時の心線の引連れ防止がはかられ心線余長は収納トレイに収容して整理できるので心線接続の交換並びに増設が簡単にでき、心線余長の収容に余分な外力のかからないし、一目でわかる配線ができて識別性良好であると共に、保留心線収納トレイの蓋体を部分的に開けて保留の心線のハンドリングも容易で取扱いも簡便であり、トレイから心線がはみ出ることなく各心線余長の収容保持も確実で、心線の固定化もワンタッチで可能で接続、分岐の作業を安全かつ容易にすることができ保留心線やＵリンクケーブルの整理や心線接続部の安全な収納保護ができる。
【０００６】
【実施例】
以下、この発明の実施例を図１及び図２を参照して説明すると、光ファイバケーブル接続部収納用キャビネット（以下、キャビネットと略称する。）は、光ケーブルの心線接続部１と、該心線接続部１から延びる心線余長を収納する構内心線一括収納用品などの心線余長収納部２とを備えたケース本体３と、該ケース本体３に開閉自在に設けた蓋ケース４とから構成され、該ケース本体３内に導入されて前記心線接続部１に至る光ケーブルＣを保持する引込・引落ケーブル把持具５とフロアケーブル把持具６とを具備したものであって、保留心線接続部の保持部７と、保留心線余長を引き回し保持する円筒状のガイドリブ８を一対隔離して設けた保留心線余長収納部９と、心線を導出入する心線導出入部１４，１５とを備えた保留心線収納トレイ１０を連結凹部１１で支軸に着脱自在で、かつ旋回自在に設けると共に、該保留心線収納トレイ１０に前記連結凹部１１の近くに設けた心線導出入部１５の近傍位置で分割された分離線１９のある蓋体１２をヒンジ部１８で開閉自在に連設し、保留心線収納トレイを連結凹部１１によって支軸を中心として回動しケース本体外に導出できる構成とし、心線収納トレイから心線がはみ出さないし、旋回時に心線の引連れも生じないようにし、分離線１９のある蓋体を部分的に開けて心線の旋回を戻したときにトレイから出た心線が自然に戻って保留心線の処理並びにＵリンクケーブルの取扱いも容易にできるようにしてある。
【０００７】
この場合、前記保留心線収納トレイ１０としては、底板に周側壁のあるケースであって、周側壁上縁およびガイドリブ上縁で保留心線余長収納部内に突出する心線押え片１３，１３１  を複数備えていて保留心線やＵリンクケーブルの引き回し収納係止しやすくしてあり、一対の円筒状のガイドリブ８，８で余長をサークル状或いは略８の字に収納してコンパクトに巻回保持できる。
【０００８】
また、前記保留心線収納トレイ１０には、心線を導出入する心線導出入部１４，１５を有し、かつ外周側壁に蓋体係止凹部１６と取手１７とを備えていてトレイの取扱いを簡易化できるようにするのがよい。
さらに、前記保留心線収納トレイ１０は重積載置させて、各トレイが閉状態が維持でき内部の保護に役立てるように配備してもよく、前記蓋体１２はヒンジ部１８で保留心線収納トレイ１０に連設され、前記連結凹部１１の近くに設けた心線導出入部１５の近傍位置が分離線１９で分割されたものであって、該蓋体１２に係止片２０，２１と突杆２２とを突設し、保留心線収納トレイ１０を旋回移動した際に、余長収納部９の大部分を開放できるようにし取扱いやすくするのがよく、閉蓋時には前記蓋体係止凹部１６と取手１７に係合する閉蓋用の各係止片２０，２１でみだりに開蓋することなく安全性を保つことができるようにしてある。
なお、前記分離線１９で分割された蓋体１２では、部分的に蓋体を開けて、例えばトレイ心線導出入部１５の入口側の分割蓋を閉めた状態で他の蓋体を開けてトレイ内部を点検その他の作業をすることができるので、蓋体の一部でトレイ入口側の心線が押えられトレイ内の心線がばらつかないし、トレイ外に飛び出さないで安全に操作処理でき、またトレイ内に入れた心線のトレイ外はみ出しを押し込み或いは整える際にも処理操作がしやすく、さらに閉蓋時に分割蓋のみを開けて心線はみ出しの調整も容易にできるなど作業性を著しく良くすることができる。
【０００９】
前記ケーブル把持具５，６は、ケース本体３のケーブルグロメットのあるケーブル配索孔２５に臨んで締付ネジ２４で着脱自在に配備して光ケーブルのクランプ固定化を簡便化してある。
【００１０】
なお、前記心線接続部１は、アダプタブロックを用い棚３０に挿脱自在に多数配備できるようにし、該棚３０の下方に保留心線収納トレイ１０を嵌着できる取付ブラケット３１を設けてある。
また、前記心線余長収納部２の部品は観音開きの収納部品を両サイドに用いてあるが、接続モジュールをもセットできるし、心線結束具２６及び心線防護側面シート２７を適宜ケース本体３内に配備して心線の案内と保持とを確実にしてある。
【００１１】
このキャビネットは、樹脂の射出成形等により成形され、ケーブル導入用の配索孔が形成され、該ケーブル配索孔に防塵カバーを嵌装し、ここから光ファイバ心線とテンションメンバを有する複数の光ケーブルを導入し、ケーブル把持金具５でケース本体３に定着できるようにしてあり、光ケーブル接続用のプラグおよび／またはコネクタのあるアダプタブロックの接続部１と心線余長収納部２を内装してある。
【００１２】
この実施の形態にかかる光ケーブル接続用収納ケースにあっては、分岐光ケーブルと引込光ケーブルの接続に際しては、先ず、キャビネットのケース本体３を建物の外壁面に取付孔２８を活用してビス等で固定し、分岐光ケーブルと引込光ケーブルをそれぞれ配索溝に、例えば、分岐光ケーブルを一方の配索孔に引込光ケーブルを他方の配索孔に通す。そして、各光ケーブルの保留心線は保留心線収納トレイ１０に蓋体１２を開けて押し込み固定し、その接続部７および余長収納部９に導いてその余長部分を巻回保持する。
【００１３】
そして、ケース本体３に蓋体４をかぶせて閉蓋状態を維持する。また開蓋時にはキーを差し込んで回せば蓋体４が開放でき、ケース本体３から取り外すことができケース本体３内の配線作業が容易にできる。
【００１４】
また、保留心線は一端にフエルールを設けたテープを単心分離部で多数に分岐し、各単心線の他端にＳＣ簡易プラグまたはＭＰＯ簡易プラグのプラグを備えた既製の変換心線を用いるのが便利であり、接続モジュール内配線材料も一端にＳＣコネクタまたはＭＰＯコネクタを設けた既製の心線を用いるのもよい。
さらに、各保留心線収納トレイ１０は、取付部材でブラケットに対して個々に脱着できたりスライドさせて配線点検処理作業をしやすくすると共に、定着した際にも支持されて任意の心線を保留心線収納トレイに蓋体を部分的に開けてハンドリングしやすくすることも配慮してあり、必要に応じ外して取り出しもでき一目でわかりやすく識別性を良好にし、そして、各光ケーブルの光ファイバ心線はケーブル巻回・接続部に導いて、その余長部分を心線収納部に巻き取って保持するので、心線の心線導入部側の蓋体を閉じて心線のトレイからのはみ出しを防ぐと共に点検作業も安全にできて配線処理作業が容易にでき、またモジュールを差し込むだけの簡単な操作で切替交換並びに増設ができるようにすることもできる。
【００１５】
そして、コネクタの交換及び増設は、コードおよびコネクタを差し込むだけの簡単な作業でできるようにしてあって、しかも任意の心線のハンドリングも容易にできるようにしてあり、心線余長もＵリンクケーブルも簡単に収納処理でき、また開閉扉を開くことによって一目でわかる配線形態で識別性も著しく容易にできるようにしてある。
【００１６】
図３の具体例では、ケース本体３内に心線接続部１を中央に配置しその両サイドに心線余長収納部２を備えたユーザー系構内光キャビネットに使用したもので、心線接続部１の受け棚３０の下方に取付ブラケット３１を介して保留心線収納トレイ１０を適宜嵌着できるようにしてある。
【００１７】
【発明の効果】
本発明は、光ケーブルの心線接続部と、該心線接続部から延びる心線余長を収納する心線余長収納部とを備えケース本体に蓋ケースを開閉自在に設け、該ケース本体内に導入されて前記心線接続部に至る光ケーブルを保持するケーブル把持金具を具備したキャビネットにおいて、前記ケース本体に保留心線接続部の保持部と、保留心線余長を引き回し保持する円筒状のガイドリブを一対隔離して設けた保留心線余長収納部と、心線を導出入する心線導出入部とを備えた保留心線収納トレイを連結凹部で支軸に着脱自在で、かつ旋回自在に設けると共に、該保留心線収納トレイに前記連結凹部１１の近くに設けた心線導出入部１５の近傍位置で分割された分離線１９のある蓋体１２をヒンジ部１８で開閉自在に連設したことにより、心線接続の交換並びに増設が簡単にできるし、心線旋回時の心線の引連れ防止がはかられ保留心線余長の収容も簡便化し、かつ一目でわかる配線ができて識別性良好で、しかも保留心線収納トレイの蓋体を部分的に開けて保留心線固定並びに展開可動で任意の心線のハンドリングが可能で取り扱い容易であり、トレイから心線がはみ出ることもなく、ばらつかないで安全な接続処理作業が行えて、さらに心線を整える処理操作もしやすく作業性を大巾に向上すると共に、Ｕリンクケーブルをも納められるし、各心線の収納を兼用できて余分な収納部材を不要とし、低コストで生産できるなど実用上の効果がある。
また、本発明では、キャビネットの内部でのケーブル把持とコード配線の確実化でスペースを有効に用いられコンパクト化と作業性向上とが実現できるし、保留心線の切替操作も容易に作業でき、しかもトレイ蓋体を部分的に開けて心線の旋回を戻したときにトレイから出た心線が自然に戻って収納できるし、はみ出し心線の調整もしやすいので心線余長収納も簡単で安全確実なケーブル配線が可能で構成も簡単で安価な形態とすることができる。
【図面の簡単な説明】
【図１】  本発明の実施例を示し内部を表した状態で、（ａ）はその展開平面図、（ｂ）は側面図、（ｃ）はＡ−Ａ線のおける縦断面図である。
【図２】  図１の例の使用状態の蓋ケースを切欠して内部を示し、（ａ）はその正面図、（ｂ）はその底面図である。
【図３】  他の使用状態の蓋ケースを切欠して内部を示し、（ａ）はその正面図、（ｂ）はその底面図である。
【符号の説明】
１        心線接続部
２        心線余長収納部
３        ケース本体
４        蓋ケース
５        ケーブル把持金具
６        フロアケーブル把持具
７        保留心線接続部保持部
８        ガイドリブ
９        保留心線余長収納部
１０      保留心線収納トレイ
１１      連結凹部
１２      蓋体
１３      心線押え片
１４，１５  心線導出入部
１８      ヒンジ部
１９      分離線
２０，２１  係止片
【図１】
0003816186.tif 000002
【図２】
0003816186.tif 000003
【図３】
0003816186.tif 000004